(57)【特許請求の範囲】
【請求項１】
複数の端末装置が接続され、前記複数の端末装置のうち少なくとも一つが属するグループに関する構成情報を管理するグループ管理テーブルと、前記グループ管理テーブルを参照して前記グループに対する着信又は保留を管理するグループ管理装置と、を備えた呼制御サービスシステムに設置され、
前記端末装置毎に、前記グループ管理テーブルが管理する前記構成情報の作成、削除及び変更に対する権限を管理する端末管理テーブルと、
前記端末装置から前記構成情報の作成、削除又は変更の要求を受信したときに、前記端末管理テーブルを参照し、要求があった前記構成情報の作成、削除又は変更について前記端末装置が前記権限を有するか否か判定し、前記権限を有していると判定した場合に前記構成情報の作成、削除又は変更を行うグループ構成設定部と、
管理者端末が通信可能に接続され、前記グループ管理テーブルを参照又は書き換え可能な管理者用設定部と、
前記管理者用設定部からの命令に従って、前記端末管理テーブルが管理する前記権限を作成、変更又は削除する権限管理部と、を具備し、
前記構成情報の作成が、代表番号グループ、代理応答グループ又はパーク保留グループの追加を含むことを特徴とするグループ構成設定装置。
【請求項２】
前記グループ構成設定部が、端末装置の代表番号グループ機能、代理応答グループ機能又はパーク保留グループ機能の有効及び無効化の設定を行うことを特徴とする請求項１記載のグループ構成設定装置。
【請求項３】
前記呼制御サービスシステムが、電話交換サービスであることを特徴とする請求項１又は請求項２記載のグループ構成設定装置。
【請求項４】
前記構成情報には、前記グループの代表番号及び前記グループに属する前記端末装置の識別情報が含まれることを特徴とする請求項３記載のグループ構成設定装置。
【請求項５】
前記グループは、代表番号グループ、代理応答グループ又はパーク保留グループであることを特徴とする請求項３又は請求項４記載のグループ構成設定装置。
【請求項６】
複数の端末装置が接続され、前記複数の端末装置のうち少なくとも一つが属するグループに関する構成情報を管理するグループ管理テーブルと、前記グループ管理テーブルを参照して前記グループに対する着信又は保留を管理するグループ管理装置と、を備えた呼制御サービスシステムにおいて、
前記端末装置から前記構成情報の作成、削除又は変更の要求を受信したときに、前記端末装置毎に、前記グループ管理テーブルが管理する前記構成情報の作成、削除及び変更に対する権限を管理する端末管理テーブルを参照し、要求があった前記構成情報の作成、削除又は変更について前記端末装置が権限を有するか否か判定する工程と、
前記端末装置が前記権限を有していると判定した場合に、前記構成情報の作成、削除又は変更を行う工程と、
管理者端末から送信された設定要求に従って前記端末管理テーブルが管理する前記権限を作成、変更又は削除する工程と、を具備し、
前記構成情報の作成が、代表番号グループ、代理応答グループ又はパーク保留グループの追加を含むことを特徴とするグループ構成設定方法。
【発明の詳細な説明】
【技術分野】
【０００１】
本発明は、グループ構成設定装置及びグループ構成設定方法に関する。
【背景技術】
【０００２】
従来、交換機の多くは、発信者によってダイヤル番号として代表番号が設定された呼の着信先をその代表群で示される代表群に属し、且つ、空いているいずれかの端末装置に設定する代表選択サービス、すなわち、代表番号グループ・サービスの提供を可能とする機能を有している（特許文献１参照）。
【０００３】
例えば、代表番号グループ・サービスを提供するためには、少なくとも１つの端末装置が属する代表番号グループを設定し、代表番号グループの代表番号と、当該代表番号グループに属する端末装置の識別情報とを対応付けた代表番号グループ管理テーブルを用意する。交換機は、代表番号グループ管理テーブルを参照して、呼の着信先である代表番号を検索して代表番号グループを特定し、その代表番号グループに属する端末装置を呼び出す。
【先行技術文献】
【特許文献】
【０００４】
【特許文献１】特開２０００−２４４６６２号公報
【発明の概要】
【発明が解決しようとする課題】
【０００５】
従来、代表番号グループ管理テーブルへの代表番号グループの追加、削除及び変更は、交換機の管理者が行っているので、代表番号グループの設定は固定的である。
【０００６】
例えば、期間限定の営業キャンペーン等の短期プロジェクトや学術系の研究グループといった、短期間のグループ、又は、メンバーの範囲が流動的なグループのために一時的な代表番号グループを作りたい場合もある。また、例えば、携帯電話端末を代表番号グループに入れた場合、外出時等の呼び出し不要の時にも呼び出されてしまう。このような場合、代表番号グループから端末装置を一時的に外すことが望ましい。さらに、端末装置を、一時的に代表番号グループに属させたい場合もある。
【０００７】
このように、利用者が、新たな代表番号グループを作りたい場合、また、代表番号グループに対して、端末装置を外したり、追加したり、したい場合、代表番号グループの設定が固定的であると、利用者は、管理者に代表番号グループの設定の変更をその都度要求する必要があり、煩雑であると共に、管理者の対応完了を待たなければならない。
【０００８】
特に、専任の管理者を置けない小中規模のシステムの場合、利用者からのグループ構成の追加、削除及び変更の要求がある度に、兼任の管理者が主たる業務を中断して対応する必要があり、対応が遅延しやすく、一層不便である。
【０００９】
本発明は、かかる点に鑑みてなされたものであり、グループの構成情報の作成、削除及び変更を簡便に且つ迅速に行うことができるグループ構成設定装置及びグループ構成設定方法を提供することを目的とする。
【課題を解決するための手段】
【００１０】
本発明のグループ構成設定装置は、複数の端末装置が接続され、前記複数の端末装置のうち少なくとも一つが属するグループに関する構成情報を管理するグループ管理テーブルと、前記グループ管理テーブルを参照して前記グループに対する着信又は保留を管理するグループ管理装置と、を備えた呼制御サービスシステムに設置され、前記端末装置毎に、前記グループ管理テーブルが管理する前記構成情報の作成、削除及び変更に対する権限を管理する端末管理テーブルと、前記端末装置から前記構成情報の作成、削除又は変更の要求を受信したときに、前記端末管理テーブルを参照し、要求があった前記構成情報の作成、削除又は変更について前記端末装置が前記権限を有するか否か判定し、前記権限を有していると判定した場合に前記構成情報の作成、削除又は変更を行うグループ構成設定部と、管理者端末が通信可能に接続され、前記グループ管理テーブルを参照又は書き換え可能な管理者用設定部と、前記管理者用設定部からの命令に従って、前記端末管理テーブルが管理する前記権限を作成、変更又は削除する権限管理部と、を具備し、前記構成情報の作成が、代表番号グループ、代理応答グループ又はパーク保留グループの追加を含むことを特徴とする。
【００１１】
この構成により、権限が与えられた端末装置からの構成情報の作成、削除又は変更に応じて、グループ管理テーブルの構成情報の作成、削除及び変更を行うので、管理者が介在することなく、端末装置からグループの構成情報の作成、削除及び変更を簡便に且つ迅速に行うことができる。
【００１２】
本発明のグループ構成設定装置において、前記グループ構成設定部が、端末装置の代表番号グループ機能、代理応答グループ機能又はパーク保留グループ機能の有効及び無効化の設定を行うことが好ましい。
【００１３】
本発明のグループ構成設定装置において、前記呼制御サービスシステムが、電話交換サービスであることが好ましい。
【００１４】
本発明のグループ構成設定装置において、前記構成情報には、前記グループの代表番号及び前記グループに属する前記端末装置の識別情報が含まれることが好ましい。
【００１５】
本発明のグループ構成設定装置において、前記グループは、代表番号グループ、代理応答グループ又はパーク保留グループであることが好ましい。
【００１６】
本発明のグループ構成設定方法は、複数の端末装置が接続され、前記複数の端末装置のうち少なくとも一つが属するグループに関する構成情報を管理するグループ管理テーブルと、前記グループ管理テーブルを参照して前記グループに対する着信又は保留を管理するグループ管理装置と、を備えた呼制御サービスシステムにおいて、前記端末装置から前記構成情報の作成、削除又は変更の要求を受信したときに、前記端末装置毎に、前記グループ管理テーブルが管理する前記構成情報の作成、削除及び変更に対する権限を管理する端末管理テーブルを参照し、要求があった前記構成情報の作成、削除又は変更について前記端末装置が権限を有するか否か判定する工程と、前記端末装置が前記権限を有していると判定した場合に、前記構成情報の作成、削除又は変更を行う工程と、管理者端末から送信された設定要求に従って前記端末管理テーブルが管理する前記権限を作成、変更又は削除する工程と、を具備し、前記構成情報の作成が、代表番号グループ、代理応答グループ又はパーク保留グループの追加を含むことを特徴とする。
【００１７】
この構成により、権限が与えられた端末装置からの構成情報の作成、削除又は変更に応じて、グループ管理テーブルの構成情報の作成、削除及び変更を行うので、管理者が介在することなく、端末装置からグループの構成情報の作成、削除及び変更を簡便に且つ迅速に行うことができる。
【発明の効果】
【００１８】
本発明によれば、端末装置からグループの構成情報の作成、削除及び変更を簡便に且つ迅速に行うことができるグループ構成設定装置及びグループ構成設定方法を提供できる。
【図面の簡単な説明】
【００１９】
【図１】本実施の形態に係る構内電話交換サービスシステムを示す概略図である。
【図２】本実施の形態に係る構内電話交換サービスシステムにおけるサーバのハードウェアを示すブロック図である。
【図３】本実施の形態に係るグループ構成設定装置及びデータベース装置を示す機能ブロック図である。
【図４】本実施の形態に係る管理者用設定部を示す機能ブロック図である。
【図５】本実施の形態に係る端末用設定部を示す機能ブロック図である。
【図６】本実施の形態に係る管理者管理テーブルを示す説明図である。
【図７】本実施の形態に係る代表番号グループ管理テーブルを示す説明図である。
【図８】本実施の形態に係る端末管理テーブルを示す説明図である。
【図９】本実施の形態における管理者による各種の設定処理の各工程を示すフローチャートである。
【図１０】本実施の形態における端末装置からの代表番号グループの設定要求を交換装置が受信した際の処理の各工程を示すフローチャートである。
【図１１】本実施の形態におけるグループ構成設定装置における処理の各工程を示すフローチャートである。
【図１２】本実施の形態に係る構内電話交換サービスシステムにおける代表番号グループの構成情報の設定の一例を示すシーケンス図である。
【図１３】本実施の形態に係る構内電話交換サービスシステムにおける代表番号グループの構成情報の設定の一例を示すシーケンス図である。
【発明を実施するための形態】
【００２０】
以下、本発明の実施の形態について、添付図面を参照して詳細に説明する。本実施の形態では、呼制御サービスシステムにおけるグループ機能の一例として、構内電話交換サービスシステムにおける代表番号グループ機能を例に挙げて説明する。
【００２１】
グループの代表番号にかかったコールが着信する際に、当該グループに属する端末装置に割り当てられた回線を呼び出すように調整された回線の集合を、代表番号グループをいう。
【００２２】
＜システム＞
図１は、本実施の形態に係る構内電話交換サービスシステムを示す概略図である。
【００２３】
構内電話交換サービスシステム１は、交換装置２と、データベース装置３と、グループ管理装置４と、グループ構成設定装置５と、複数の電話端末６及び管理者端末７が接続されている、構内電話網である構内ＩＰネットワーク８と、で構成されている。
【００２４】
構内電話交換サービスシステム１では、交換装置２が公衆交換電話網（ＰＳＴＮ）９に接続され、公衆交換電話網９に接続された外部電話端末１０から電話端末６への着信や、電話端末６から外部電話端末１０への発信が可能なように構成されている。また、公衆交換電話網９には、移動体通信網１１が接続され、移動体通信網１１に接続可能な移動体通信端末１２から公衆交換電話網９を介して、電話端末６への着信や、電話端末６から移動体通信端末１２への発信が可能なように構成されている。
【００２５】
＜サーバ＞
図２は、本実施の形態に係る構内電話交換サービスシステムにおけるサーバのハードウェアを示すブロック図である。
【００２６】
図２に示すように、サーバ１００は、中央制御部１０１、ネットワーク制御部１０２、ストレージデバイス１０３、メモリ１０４及び電源供給部１０５を備えている。
【００２７】
中央制御部１０１は、サーバ１００の各部を制御するものである。具体的には、中央制御部１０１は、ＣＰＵ等を備え、メモリ１０４を用いてＯＳや各種処理プログラムに従って各種の制御動作を行う。
【００２８】
ネットワーク制御部１０２は、ネットワークを介してデータ通信等を遂行する。
【００２９】
ストレージデバイス１０３は、例えば、ハードディスクドライブ、不揮発性メモリ等により構成され、中央制御部１０１の動作に必要な各種プログラムやデータを記憶している。
【００３０】
メモリ１０４は、例えば、ＤＲＡＭ等により構成され、中央制御部１０１等によって処理されるデータ等を一時的に記憶するバッファメモリや、中央制御部１０１等のワーキングメモリとして機能する。
【００３１】
電源供給部１０５は、サーバ１００に必要な電力を供給するために外部電源ソースと連結される。
【００３２】
以上説明したサーバ１００において、目的に応じてプログラムやデータを適宜用意することで、交換装置２、データベース装置３、グループ管理装置４及びグループ構成設定装置５を実現することができる。
【００３３】
＜交換装置＞
交換装置２は、電話の接続及び解放、並びに、認証、検索、監視などの制御を行う呼制御装置の一例である。交換装置２は、本実施の形態では、構内交換機（ＰＢＸ）であり、施設内に複数の電話機を設置する場合、施設内に設置、運用される電話交換機である。交換装置２は、電話端末６同士での内線通話や、外線、すなわち、公衆交換電話網９との接続を行う。
【００３４】
本実施の形態では、１つの交換装置２が、構内ＩＰネットワーク８に接続された複数の電話端末６に対して構内電話交換機能を提供する場合を例に挙げて説明する。しかし、本発明は、通信事業者やサービスプロバイダが共用型の交換装置を、事業者ＩＰネットワーク上に設けて、事業者ＩＰネットワークを介して複数の顧客に対して構内電話交換機能を提供する、いわゆるＩＰセントレクスサービスシステムや構内交換機を事業者で預かるハウジングサービス、クラウドＰＢＸサービスに適用することも可能である。
【００３５】
＜データベース装置＞
データベース装置３は、交換装置２、グループ管理装置４及びグループ構成設定装置５が参照するデータベースやテーブルを格納する外部記憶装置である。
【００３６】
まず、データベース装置３は、交換装置２及びグループ管理装置４が、電話端末６への外線からの着信や通話、電話端末６同士の内線通話、移動体通信端末１２への着信の転送などを行うために参照する端末管理データベースをストレージデバイス１０３（図２参照）に格納している。端末管理データベースは、例えば、内線代表番号、外線代表番号、並びに、電話端末６及び移動体通信端末１２の内線番号と端末装置情報を管理するものであり、当業者であれば容易に理解できるであろう。
【００３７】
＜グループ管理装置＞
グループ管理装置４は、管理端末データベースを参照して、代表番号グループに対する着信や保留を制御する装置であり、当業者であれば容易に理解できるであろう。
【００３８】
＜グループ構成設定装置＞
図３は、本実施の形態に係るグループ構成設定装置及びデータベース装置を示す機能ブロック図である。
【００３９】
グループ構成設定装置５は、管理者用設定部２１と、権限管理部２２と、端末用設定部２３と、で構成されている。
【００４０】
管理者用設定部２１は、構内ＩＰネットワーク８（図１参照）を介して、管理者端末７が通信可能に接続されている。
【００４１】
管理者用設定部２１は、ネットワーク制御部１０２（図２参照）を制御し、データベース装置３と通信して、データベース装置３に格納された管理者管理テーブル３１及び代表番号グループ管理テーブル３２を参照又は書き換え可能なように構成されている。
【００４２】
また、管理者用設定部２１は、権限管理部２２に対して、電話端末６及び移動体通信端末１２（以下、単に「端末装置」ともいう）の権限を設定、変更するよう命令できるように構成されている。権限管理部２２は、管理者用設定部２１からの命令に従って、ネットワーク制御部１０２（図２参照）を制御し、データベース装置３と通信して、データベース装置３に格納された端末管理テーブル３３を書き換え可能なように構成されている。
【００４３】
端末用設定部２３は、構内ＩＰネットワーク８（図１参照）及び交換装置２を介して、電話端末６が通信可能に接続されている。また、移動体通信端末１２が、移動体通信網１１、公衆交換電話網９及び交換装置２を介して、通信可能に接続されている。
【００４４】
端末用設定部２３は、ネットワーク制御部１０２（図２参照）を制御し、データベース装置３と通信して、データベース装置３に格納された代表番号グループ管理テーブル３２及び端末管理テーブル３３を参照又は書き換え可能なように構成されている。
【００４５】
図４は、本実施の形態に係る管理者用設定部を示す機能ブロック図である。管理者用設定部２１は、管理者端末７に操作画面を提供し、管理者による操作及び入力結果を受け取る操作画面提供部１１１を備えている。操作画面提供部１１１は、例えば、ＨＴＭＬ５、Ｊａｖａｓｃｒｉｐｔ（登録商標）、ＣＣＳなどを組み合わせて作成されたＷｅｂアプリケーションプログラムからなる操作画面データを、ネットワーク制御部１０２を制御し、構内ＩＰネットワーク８（図１参照）を経由して、管理者端末７に送信する。
【００４６】
また、管理者用設定部２１は、管理者のログインに応答するログイン応答部１１２と、管理者管理テーブル３１（図３参照）を参照してログインの認証を行うログイン認証部１１３と、を備えている。
【００４７】
さらに、管理者用設定部２１は、管理者端末７からの入力に従って代表番号グループ管理テーブル３２の書き換えを行う設定処理部１１４を備えている。
【００４８】
操作画面提供部１１１、ログイン応答部１１２、ログイン認証部１１３及び設定処理部１１４は、サーバ１００の中央制御部１０１（図２参照）が実行するＷｅｂサーバプログラムによって実現することができる。
【００４９】
図５は、本実施の形態に係る端末用設定部を示す機能ブロック図である。端末用設定部２３は、権限判定部１２１と設定処理部１２２とを備えている。権限判定部１２１は、電話端末６及び移動体通信端末１２から代表番号グループ管理テーブル３２（図３参照）に記憶される代表番号グループの構成情報（後述）の作成、削除及び変更の要求があった場合、データベース装置３に格納された端末管理テーブル３３を参照して、電話端末６及び移動体通信端末１２が権限を有するか否か判定する。
【００５０】
設定処理部１２２は、管理者端末７からの入力に従って代表番号グループ管理テーブル３２に対して、代表番号グループの構成情報の作成、削除及び変更を行うように構成されている。
【００５１】
権限判定部１２１及び設定処理部１２２は、サーバ１００の中央制御部１０１（図２参照）が実行するＷｅｂサーバプログラムによって実現することができる。
【００５２】
＜テーブルの構成＞
図６は、本実施の形態に係る管理者管理テーブルを示す説明図である。図６に示すように、管理者管理テーブル３１は、管理者毎に、管理者ＩＤ、パスワード、管理者名等を管理している。
【００５３】
図７は、本実施の形態に係る代表番号グループ管理テーブルを示す説明図である。図７に示すように、代表番号グループ管理テーブル３２には、代表番号グループに付与される代表番号と、代表番号グループに属する端末装置の内線番号を含むメンバーと、を管理している。本実施の形態では、代表番号及びメンバーを、代表番号グループの構成情報という。すなわち、代表番号グループの構成情報とは、代表番号グル―プの代表番号と、代表番号グループに属する端末装置の識別情報である内線番号と、を含む。また、内線番号には、メンバー（端末装置）が代表番号グループ機能の有効及び無効を示す「ＯＮ」及び「ＯＦＦ」のフラグなど、グループ機能を構成する各種条件が付記されている。
【００５４】
本実施の形態では、代表番号グループの代表番号を、代表番号グループにユニークに付与されたグループの識別情報として用いているが、特に限定されるものではない。同様に、端末装置の内線番号を、端末装置にユニークに付与された端末装置の識別情報として用いているが、特に限定されるものではない。
【００５５】
本実施の形態では、代表番号グループ管理テーブル３２は、さらに、代表番号グループの機能の有効及び無効を示す「有効」及び「無効」の機能フラグなど、グループ機能を構成する各種条件が含まれている。
【００５６】
図８は、本実施の形態に係る端末管理テーブルを示す説明図である。図８に示すように端末管理テーブル３３は、端末装置毎に、内線番号、所属部署名、権限情報及びメンバー（端末装置）の代表番号グループの機能の有効及び無効を示す代表番号グループフラグを管理している。
【００５７】
権限情報は、代表番号グループの構成情報の作成及び削除、代表番号グループの機能の停止及び再開、代表番号グループへのメンバー（端末装置）の追加及び削除、メンバー（端末装置）の代表番号グループの機能の停止及び再開、並びに、代表番号グループの作成、削除及び変更が可能な対象範囲を含んでいる。
【００５８】
＜端末装置＞
電話端末６は、一般的なＩＰ電話端末であるが、個別の回線で接続される一般の電話端末であっても良い。その構成は、当業者に容易に理解される通りである。移動体通信端末１２は、一般的な、携帯電話端末、スマートフォン等であり、その構成は、当業者に容易に理解される通りである。
【００５９】
これらの端末装置は、本実施の形態では、後述するように発信番号を用いた発信（ダイヤル）手順により代表番号グループの設定（作成、削除及び変更を含む）の要求をグループ構成設定装置５に送信するので、ユーザインターフェイスとしては、発信番号を入力するためのダイヤルキー（ソフトウエアキーを含む）等を備えていれば足りる。
【００６０】
＜管理者端末＞
管理者端末７は、例えば、一般的なパーソナルコンピュータであるが、スマートフォンやタブレット端末であっても良い。管理者端末７上では、例えば、汎用のインターネットブラウザプログラムが実行され、グループ構成設定装置５の管理者用設定部２１が提供する操作画面データを受信、解釈及び描画してディスプレイに操作画面を表示するように構成されている。また、管理者端末７において、インターネットブラウザプログラムは、キーボードやマウスなどのユーザインターフェイスを介して、操作画面に対する管理者の操作や入力を受け付け、操作結果や入力結果を管理者用設定部２１に送信するように構成されている。
【００６１】
＜グループ構成設定方法＞
以下、上述のような構成からなる構内電話交換サービスシステム１におけるグループ構成設定方法について説明する。
【００６２】
なお、本実施の形態において、グループ構成の設定とは、グループの構成情報の作成、削除及び変更を含む。また、グループの構成情報の変更とは、グループに属する端末装置の識別情報の追加又は削除を含む。
【００６３】
図９は、本実施の形態における管理者による各種の設定処理の各工程を示すフローチャートである。本実施の形態では、管理者は、代表番号グループの設定及び端末装置の権限情報の設定を行うことができる。
【００６４】
まず、管理者用設定部２１の操作画面提供部１１１は、操作画面としてログイン画面データを管理者端末７に送信する（Ｓ１）。管理者端末７では、ログイン画面データに基づいてログイン画面をディスプレイに表示し、管理者によるログイン操作を受け付ける。ログイン操作は、少なくとも管理者ＩＤ及びパスワードの入力を含む。管理者端末７は、ログイン画面に入力された管理者ＩＤ及びパスワードを含むログイン情報を、管理者用設定部２１のログイン応答部１１２に送信する。
【００６５】
次に、ログイン応答部１１２は、管理者端末７からのログイン情報の送信があったか否か判定する（Ｓ２）。Ｎｏであったならば、ログイン情報の受信があるまでＳ２を繰り返す。
【００６６】
Ｓ２でＹｅｓであったならば、ログイン認証部１１３は、管理者端末７から受信したログイン情報を用いて認証を行い、認証結果がＯＫであったか否か判定する（Ｓ３）。すなわち、ログイン認証部１１３は、ログイン情報に含まれる管理者ＩＤを用いて、管理者管理テーブル３１を検索し、検索された管理者ＩＤに対応付けられたパスワードが、管理者端末７から受信したパスワードと一致したか否か判定する。Ｓ３でＮｏであれば、処理を終了する。
【００６７】
Ｓ３でＹｅｓであったならば、操作画面提供部１１１は、操作画面として代表番号グループの設定及び端末装置の権限の設定のための設定画面データを管理者端末７に送信する（Ｓ４）。管理者端末７では、設定画面データに基づいて設定画面をディスプレイに表示し、管理者による代表番号グループの設定要求を受け付ける。管理者端末７は、設定要求を、ネットワーク制御部（図示せず）を制御して、構内ＩＰネットワーク８（図１参照）を介して、管理者用設定部２１に送信する。
【００６８】
管理者用設定部２１では、設定処理部１１４が管理者端末７から送信された設定要求を受信する（Ｓ５）。次いで、設定処理部１１４は、設定要求に従って設定処理を行う（Ｓ６）。例えば、代表番号グループ管理テーブル３２に対して代表番号グループの設定、すなわち代表番号グループの作成、削除又は変更を行ったり、端末管理テーブル３３に対して権限情報の変更を行ったり、する。
【００６９】
図１０は、本実施の形態における端末装置からの代表番号グループの設定要求を交換装置が受信した際の処理の各工程を示すフローチャートである。
【００７０】
まず、Ｓ１１において、交換装置２は、端末装置（電話端末６及び移動体通信端末１２）からの着信を待つ。Ｓ１１でＹｅｓであったならば、Ｓ１２に進み、Ｎｏであれば、着信があるまでＳ１１を繰り返す。
【００７１】
次に、交換装置２は、発信元の端末装置の内線番号を取得する（Ｓ１２）。次いで、交換装置２は、端末装置から送信された発信番号を取得する（Ｓ１３）。その後、取得した発信番号に基づいて代表番号グループの設定要求か否か判定する（Ｓ１４）。この判定は、例えば、取得した発信番号に代表番号グループの設定要求を示す番号が含まれているか否かで行う。代表番号グループの設定要求を示す番号（以下、設定要求番号という）は、特に限定されないが、本実施の形態では、次の通りである。
＊１０＊＜代表番号＞＊＜内線番号＞：代表番号グループからのメンバーの削除
＊１１＊＜代表番号＞＊＜内線番号＞：代表番号グループへのメンバーの追加
＊２０＊＜代表番号＞：代表番号（メンバーの代表番号グループ機能の無効化）
＊２１＊＜代表番号＞：代表番号（メンバーの代表番号グループ機能の有効化）
＊３０＊＜代表番号＞：代表番号グループの削除
【００７２】
Ｓ１４において、代表番号グループの設定要求であったならば（Ｙｅｓ）、Ｓ１２、Ｓ１３で取得した内線番号及び発信番号をグループ構成設定装置５に送信する。
【００７３】
図１１は、本実施の形態におけるグループ構成設定装置における処理の各工程を示すフローチャートである。
【００７４】
まず、Ｓ２１において、グループ構成設定装置５の端末用設定部２３は、交換装置２から内線番号及び発信番号を受信するのを待つ。Ｓ２１でＹｅｓであったならば、Ｓ２２に進む。Ｓ２１でＮｏであったならば、交換装置２からの内線番号及び発信番号の受信があるまでＳ２１を繰り返す。
【００７５】
Ｓ２２において、端末用設定部２３の権限判定部１２１（図５参照）は、端末管理テーブル３３（図８参照）を参照する。次いで、権限判定部１２１は、受信した発信番号に含まれる設定要求番号に基づいて、端末装置から要求があった設定について当該端末装置が設定を行う権限を有するか否か判定する（Ｓ２３）。Ｓ２３で権限がある（Ｙｅｓ）と判定した場合、Ｓ２４に進む。一方、Ｓ２３で権限がない（Ｎｏ）と判定した場合、端末用設定部２３は処理を終了する。
【００７６】
端末装置の設定を行う権限は、以下の通りである。
（１）代表番号グループの構成情報の設定に関する権限
代表番号グループの構成情報の設定には、代表番号グループを作成、削除又は変更すること、及び、グループに属するメンバー（端末装置）を追加、削除することが含まれる。
【００７７】
（２）代表番号グループ機能の有効及び無効の設定に関する権限
代表番号グループ機能の有効及び無効の設定には、グループ全体についての代表番号グループ機能を停止したり再開することや、メンバー毎の代表番号グループ機能を停止したり再開することが含まれる。つまり、代表番号グループ機能の有効及び無効の設定には、代表番号グループの構成情報の設定とは異なり、グループの構成（例えば、代表番号やメンバー）を作成、削除及び変更することは含まれない。すなわち、代表番号グループ機能の有効及び無効の設定に関する権限には、その設定内容をグループ全体又はメンバーに対して適用するか否か、言い換えれば、グループ全体又は個々のメンバーが、設定された代表番号グループ機能を使用が可能か否かを切り替える権限が含まれる。
【００７８】
（３）対象範囲
権限は、設定内容の種類だけでなく、設定の対象の範囲に対しても設けることができる。つまり、例えば、グループを作成したときにメンバーに加えられる端末装置が属する部署を限定して権限を付与することができる。より具体的には、総務部に属する端末装置に対しては会社内の全体の端末装置に対してグループの作成、削除及び変更を認めるが、開発部や営業部に属する端末装置に対しては同じ部署や一部の部署に属する端末装置に限定してグループの作成、削除及び変更等を認めることができる。
【００７９】
Ｓ２４において、端末用設定部２３の設定処理部１２２が、受信した発信番号に含まれる代表番号グループの設定要求を示す番号に基づいて、代表番号グループの設定を行う。代表番号グループの設定には、既に説明したように、（Ａ）代表番号グループの構成情報の設定、及び、（Ｂ）代表番号グループ機能の有効及び無効の設定が含まれる。
【００８０】
（Ａ）代表番号グループの構成情報の設定には、既に説明したように、代表番号グループの構成情報の作成、削除及び変更が含まれる。これらの設定は、従来は管理者に認められていたものである。
【００８１】
（Ｂ）代表番号グループの有効及び無効の設定には、代表番号グループ全体に対する有効及び無効と、代表番号グループに属する端末装置に対する有効及び無効が含まれる。前者については、代表番号グループ管理テーブル３２（図７参照）の機能フラグを「有効」又は「無効」で切り替えることで設定が行われる。後者については、代表番号グループ管理テーブル３２のメンバーに登録された端末装置の内線番号に付記された「ＯＮ」又は「ＯＦＦ」のフラグを書き換えることにより設定が行われる。
【００８２】
設定処理部１２２は、設定要求番号と、それに対応する設定内容とが、対応付けられたテーブルを保持している。設定処理部１２２は、交換装置２から受信した発信番号に含まれる設定要求番号に基づいて、それに対応する設定内容を特定する。
【００８３】
＜適用例＞
以下、本実施の形態に係る設定装置の動作について、具体的に説明する。図１２及び図１３は、本実施の形態に係る構内電話交換サービスシステムにおける代表番号グループの構成情報の設定の一例を示すシーケンス図である。
【００８４】
図１２には、端末装置から代表番号グループ管理テーブル３２に対して代表番号グループの構成情報の作成及び削除を行った場合を示している。
【００８５】
初期状態では、代表番号グループ管理テーブル３２には、グループ構成情報は登録されていていない。
【００８６】
まず、電話端末（内線番号（＃）２１０１）から交換装置２に発呼し、設定要求番号（＊１１＊２１００＊２１０１）が発信される（Ｓ１０１）。
【００８７】
次に、交換装置２は、図１０を参照して説明したように、電話端末（＃２１０１）の内線番号と発信番号を取得し、グループ構成設定装置５に送信する。グループ構成設定装置５は、受信した発信番号に含まれる設定要求番号に基づいて、代表番号グループの構成情報の作成（グループ作成）を行う（Ｓ１０２）。代表番号グループ管理テーブル３２に作成された代表番号グループの構成情報には、代表番号（＃２１００）と、代表番号グループに属する端末装置の内線番号（＃２１０１）とその機能の有効を示すフラグ（ＯＮ）が含まれている。
【００８８】
次いで、電話端末（＃２１０２）から交換装置２に発呼し、設定要求番号（＊１１＊２１００＊２１０２）が発信される（Ｓ１０３）。
【００８９】
次に、交換装置２は、電話端末（＃２１０２）の内線番号と発信番号を取得し、グループ構成設定装置５に送信する。グループ構成設定装置５は、受信した発信番号に含まれる設定要求番号に基づいて、代表番号グループの構成情報の変更（グループ変更）を行う（Ｓ１０４）。代表番号グループ管理テーブル３２の代表番号（２１００）の代表番号グループの構成情報に対して、代表番号グループに属する端末装置の内線番号（＃２１０２）とその機能の有効を示すフラグ（ＯＮ）が追加される。
【００９０】
この段階で、外部電話端末１０（図１参照）から代表番号（２１００）に対して発呼があると、交換装置２は、代表番号（２１００）への着信を受け付ける（Ｓ１０５）。交換装置２は、グループ管理装置４に代表番号（２１００）を送信する（Ｓ１０６）。グループ管理装置４は、代表番号グループ管理テーブル３２を参照し、代表番号（２１００）の代表番号グループに属する電話端末（＃２１０１、＃２１０１）に対し、呼び出しをかける（Ｓ１０７）。呼び出しは、一斉に呼び出したり、鳴動する／しないを端末毎に分けたり、空き回線が見つかるまで順次呼び出したり、というように様々な態様が可能であり、特に限定されない。
【００９１】
その後、電話端末（＃２１０１）から交換装置２に発呼し、設定要求番号（＊３０＊２１００）が発信される（Ｓ１０８）。
【００９２】
次に、交換装置２は、電話端末（＃２１０１）の内線番号と発信番号を取得し、グループ構成設定装置５に送信する。グループ構成設定装置５は、受信した発信番号に含まれる設定要求番号に基づいて、代表番号（２１００）の代表番号グループの構成情報の削除（グループ削除）を行う（Ｓ１０９）。この結果、代表番号グループ管理テーブル３２から代表番号（２１００）の代表番号グループの構成情報が削除され、代表番号グループ管理テーブル３２は空白の状態になる。
【００９３】
このように、利用者は、電話端末（＃２１０１、＃２１０２）から、代表番号（２１００）の代表番号グループの構成情報の作成及び削除を、管理者を介在させることなく、行うことができる。
【００９４】
図１３には、端末装置から代表番号グループ管理テーブル３２に対して代表番号グループの構成情報の変更を行った場合を示している。この適用例では、外出時に、移動体通信端末を一時的にグループに追加し、外出時に移動体通信端末の呼び出しを可能にすることを想定している。
【００９５】
初期状態では、代表番号グループ管理テーブル３２には、代表番号（２１００）の代表番号グループの構成情報が、既に作成されている。ここで、代表番号グループの構成情報には、代表番号（２１００）と、代表番号グループに属する端末装置の内線番号（＃２１０１、＃２１０１）とその機能の有効を示すフラグ（ＯＮ）が含まれている。
【００９６】
次に、移動体通信端末（＃３００１）から交換装置２に発呼し、設定要求番号（＊１１＊２１００＊３００１）が発信される（Ｓ１１０）。
【００９７】
次に、交換装置２は、図１０を参照して説明したように、移動体通信端末（＃３００１）の内線番号と発信番号を取得し、グループ構成設定装置５に送信する。グループ構成設定装置５は、受信した発信番号に含まれる設定要求番号に基づいて、代表番号グループ管理テーブル３２の代表番号（２１００）の代表番号グループの構成情報の変更（グループ変更）を行う（Ｓ１１１）。すなわち、代表番号グループ管理テーブル３２の代表番号（２１００）の代表番号グループの構成情報に、移動体通信端末の内線番号（＃３００１）とその機能の有効を示すフラグ（ＯＮ）を追加する。
【００９８】
この段階で、外部電話端末１０（図１参照）から代表番号（２１００）に対して発呼があると、交換装置２は、代表番号（２１００）への着信を受け付ける（Ｓ１１２）。交換装置２は、代表番号（２１００）をグループ管理装置４に送信する（Ｓ１１３）。グループ管理装置４は、代表番号グループ管理テーブル３２を参照し、代表番号（２１００）の代表番号グループに属する電話端末（＃２１０１、＃２１０１）及び移動体通信端末（＃３００１）に対し、呼び出しをかける（Ｓ１１４）。
【００９９】
その後、移動体通信端末（＃３００１）から交換装置２に発呼し、設定要求番号（＊１０＊２１００＊３００１）が発信される（Ｓ１１５）。
【０１００】
次に、交換装置２は、移動体通信端末（＃３００１）の内線番号と発信番号を取得し、グループ構成設定装置５に送信する。グループ構成設定装置５は、受信した発信番号に含まれる設定要求番号に基づいて、代表番号（２１００）の代表番号グループの構成情報の変更（グループ変更）を行う（Ｓ１１６）。すなわち、代表番号グループ管理テーブル３２の代表番号（２１００）の代表番号グループの構成情報から、移動体通信端末の内線番号（＃３００１）とその機能の有効を示すフラグ（ＯＮ）を削除する。
【０１０１】
このように、移動体通信端末（＃３００１）から代表番号（２１００）の代表番号グループの構成情報の変更を、管理者を介在させることなく、行うことができる。
【０１０２】
図１２及び図１３を用いて説明したように、端末から代表番号グループの作成、削除及び変更を行うことができるので、管理者が介在しなくとも、利用者が端末を操作して、代表番号グループの作成、削除及び変更を能動的に行うことができる。
【０１０３】
例えば、期間限定の営業キャンペーン等の短期プロジェクトや学術系の研究グループといった、短期間のグループ、又は、メンバーの範囲が流動的なグループのために一時的な代表番号グループを作りたい場合、管理者は、予め、短期プロジェクトや研究グループの参加者が利用する端末に、代表番号グループの追加、削除及び変更の権限を与えておく。その後は、管理者が不在であっても、参加者は、端末を用いて、代表番号グループの作成、削除及び変更を能動的に行うことができる。
【０１０４】
以上説明した本実施の形態によれば、グループ構成設定装置５が、端末装置からの発信手順に応じて、代表番号グループ管理テーブル３２が管理している代表番号グループの構成情報を作成、削除及び変更するので、利用者自らが、代表番号グループの構成情報の作成、削除及び変更を、簡便に且つ迅速に行うことができる。
【０１０５】
代表番号グループ管理テーブル３２への代表番号グループの追加、削除及び変更に、管理者が介在しないことで、代表番号グループの設定が動的になる。
【０１０６】
例えば、移動体通信端末１２が代表番号グループに入れられていた場合、利用者が移動体通信端末１２からグループ構成設定装置５に代表番号グループの構成情報の変更を行い、代表番号グループから移動体通信端末１２を一時的に外すことにより、外出時に不要に呼び出しがかかるのを防ぐことができる。
【０１０７】
このように、利用者が、代表番号グループに対して、端末装置を外したり、追加したり、したい場合、代表番号グループの設定が動的であることにより、利用者は、管理者に代表番号グループの設定の変更をその都度要求する必要がなくなり、簡便になると共に、管理者の対応完了を待つことがなくなる。
【０１０８】
特に、専任の管理者を置けない小中規模のシステムの場合、利用者からのグループ構成の追加、削除及び変更の要求がある度に、兼任の管理者が主たる業務を中断して対応する必要がなくなる。
【０１０９】
また、本実施の形態では、端末管理テーブル３３は、端末装置毎に、代表番号グループの構成情報の作成、削除及び変更に対する権限を管理し、端末用設定部２３において、権限判定部１２１が、構成情報の作成、削除又は変更について端末装置が権限を有するか否か判定し、権限を有していると判定した場合に、設定処理部１２２が代表番号グループの設定情報の作成、削除又は変更を行う。これにより、端末装置からの代表番号グループの設定についてセキュリティを維持することができる。
【０１１０】
さらに、本実施の形態では、管理者が、グループ構成設定装置５の権限管理部２２を利用して、端末管理テーブル３３が管理する端末装置の権限を設定することができるので、端末装置から代表番号グループの構成情報の作成、削除及び変更を認めるかどうか否か、また、その対象範囲をどうするかを、管理者が管理することができる。
【０１１１】
以上、本発明について詳細に説明したが、当業者にとっては、本発明が本明細書中に説明した実施の形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１１２】
上述の実施の形態では、グループ管理装置４が提供するグループ機能として代表番号グループを一例に挙げて説明したが、本発明は、これに限定されず、例えば、代理応答グループ及びパーク保留グループのような、グループ管理装置４がグループに対する着信又は保留を管理する各種のサービスに適用することができる。
【０１１３】
（代理応答グループ）
代理応答とは、電話着信を、同一代理応答グループ内の他の電話機で代わりに応答することができるサービス機能を言う。
【０１１４】
（パーク保留グループ）
応答した呼を通話中に交換機に保留し、同じグループの別の電話機から保留を解除して通話できるサービス機能を言う。
【０１１５】
また、上述の実施の形態では、発信手順を用いて端末装置からグループ構成設定装置５にグループの構成情報の作成、削除及び変更を行わせているが、これに限定されるものではない。例えば、交換装置２又はグループ構成設定装置５に自動音声応答（ＩＶＲ）機能を設け、音声ガイダンスに従って端末装置からグループの構成情報の作成、削除及び変更を行ってもよい。また、特に、電話端末６及び移動体通信端末１２が、スマートフォンやタブレット端末のようにアプリケーションプログラムを実行可能な端末装置である場合、グループ構成設定のためのアプリケーションプログラムを実行し、当該アプリケーションプログラムを用いて、グループ構成設定装置５にグループの構成情報の作成、削除及び変更を行なわせてもよい。
【０１１６】
上述のようにアプリケーションプログラムを用いて設定を行う場合、利用者の操作によって設定を行う以外に、自動的に設定を行うようにしても良い。例えば、ＧＰＳ情報等の位置情報や、ＷｉＦｉスポットへの接続に基づいて、端末装置上のアプリケーションプログラムがグループ構成設定装置５に対してグループの構成情報の作成、削除又は変更を自動的に指示することができる。また、アプリケーションプログラムが、日時や曜日に応じて、グループ構成設定装置５に対してグループの構成情報の作成、削除又は変更を自動的に指示することができる。
【０１１７】
また、上述の実施の形態では、交換装置２、データベース装置３、グループ管理装置４及びグループ構成設定装置５がそれぞれ別のサーバで構成しているが、これらの全て又はこれらの一部を一つのサーバで構成してもよい。
【０１１８】
また、上記実施の形態は、本発明を構内電話交換サービスシステム１に適用した場合について説明したが、構内電話には限定されない。
【０１１９】
また、上記実施の形態では、呼制御装置の一例として、構内交換機（ＰＢＸ）である交換装置２を例に挙げて説明したが、呼制御装置はこれに限定されない。すなわち、本発明の適用範囲は交換機機能に限定せず、例えば、Ｐｕｓｈ−ｔｏ−Ｔａｌｋ（登録商標）のグループ通信などの複数の利用者によりグループを構成する必要があるシステムにおけるグループの作成、削除及び変更（メンバーの追加、削除、メンバーの属性変更など）、およそ利用者をグループとして管理する全てのサービスやシステムに適用可能である。
【０１２０】
Ｐｕｓｈ−ｔｏ−Ｔａｌｋの場合、呼制御装置であるＳＩＰサーバと、制御サーバと、を用いて、ＳＩＰサーバが、端末装置間でのセッションを確立し、制御サーバが、ある端末装置からの音声パケットを受信し、音声パケットをコピーし、同一の通話グループに属する他の端末装置に送信する。この際の通話グループの作成、削除及び変更に、本発明を適用することができる。
【０１２１】
また、本明細書で説明した用語及び／又は本明細書の理解に必要な用語については、同一の又は類似する意味を有する用語と置き換えてもよい。
【０１２２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１２３】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１２４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１２５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１２６】
本発明は、端末装置からグループの構成情報の作成、削除及び変更を簡便に且つ迅速に行うことができるので、構内交換機などに好適に利用できる。
【符号の説明】
【０１２７】
１  構内電話交換サービスシステム
２  交換装置
３  データベース装置
４  グループ管理装置
５  グループ構成設定装置
６  電話端末
７  管理者端末
８  構内ＩＰネットワーク
９  公衆交換電話網
１０  外部電話端末
１１  移動体通信網
１２  移動体通信端末
２１  管理者用設定部
２２  権限管理部
２３  端末用設定部
３１  管理者管理テーブル
３２  代表番号グループ管理テーブル
３３  端末管理テーブル
１１１  操作画面提供部
１１２  ログイン応答部
１１３  ログイン認証部
１１４、１２２  設定処理部
【図１】
0006697248.tif 000002
【図２】
0006697248.tif 000003
【図３】
0006697248.tif 000004
【図４】
0006697248.tif 000005
【図５】
0006697248.tif 000006
【図６】
0006697248.tif 000007
【図７】
0006697248.tif 000008
【図８】
0006697248.tif 000009
【図９】
0006697248.tif 000010
【図１０】
0006697248.tif 000011
【図１１】
0006697248.tif 000012
【図１２】
0006697248.tif 000013
【図１３】
0006697248.tif 000014